(57)【要約】  発明は、キャリアフィルム、必要に応じて前記キャリアフィルム上の黒色層及び、キャリアフィルム上または黒色層上の、好ましくはマイクロカプセルに封入されたコレステリック液晶を含む層を有する、特に、生物の、特に人間の、特に胸の、表面の温度分布を検出するための接触サーモグラフィのためのＥＬＣ感熱フィルムを自動的に決定するための、ＥＬＣ感熱フィルムに関する。発明は、液晶を含む層が格子状またはリボン状の態様で異なるコレステリック液晶の少なくとも２つの異なる混合物を含む領域に分割されることを特徴とする。発明は、生物の、特に人間の、特に胸の、表面の温度分布を検出するための接触サーモグラフィのためのＥＬＣ感熱フィルムを自動的に決定するための、方法にも関する。
2014513270.tif 000002
【特許請求の範囲】
【請求項１】
キャリアフィルム、必要に応じて前記キャリアフィルム上の黒色層及び、前記キャリアフィルム上または前記黒色層上のコレステリック液晶を含む層を有するＥＬＣ感熱フィルムにおいて、
前記液晶を含む前記層が、異なるコレステリック液晶の少なくとも２つの異なる混合物を有する領域に、格子形またはリボン形の態様で細分される、
ことを特徴とする感熱フィルム。
【請求項２】
コレステリック結晶を含む前記層上に保護層が設けられることを特徴とする請求項１に記載の感熱フィルム。
【請求項３】
前記領域が一様に分布することを特徴とする請求項１または２に記載の感熱フィルム。
【請求項４】
前記領域が同じ寸法をもつことを特徴とする請求項１から３のいずれかに記載の感熱フィルム。
【請求項５】
前記領域が正方形または長方形であることを特徴とする請求項１から４のいずれかに記載の感熱フィルム。
【請求項６】
前記異なる混合物が同等の感温範囲を有することを特徴とする請求項１から５のいずれかに記載の感熱フィルム。
【請求項７】
少なくとも２つの隣り合う感温範囲が相互に接することを特徴とする請求項６に記載の感熱フィルム。
【請求項８】
少なくとも２つの隣り合う感温範囲が相互にオーバーラップすることを特徴とする請求項６または７に記載の感熱フィルム。
【請求項９】
生物の表面の温度分布を検出するための接触サーモグラフィのためのＥＬＣ感熱フィルムを自動的に決定するための方法において、
−検査されるべき生物の表面に、請求項１から８のいずれかに記載されるような感熱フィルムを当てる工程及び、必要に応じて、前記感熱フィルムを冷却する工程、
−先に定められた記録時間にわたり、また先に定められた画像記録周波数、解像度及び色深度により、カメラを用いて前記感熱フィルムの加熱の画像シーケンスを記録する工程、
−前記画像シーケンス内のそれぞれの画像について、前記感熱フィルムの異なるコレステリック液晶の同じ混合物を有する領域に対応する画像ラスター要素を抽出して、前記画像ラスター要素を結合し、時系列で配列することで、サブ画像を形成することにより、前記画像シーケンスを異なるコレステリック液晶の異なる混合物を有する領域の数に対応する数のサブ画像シーケンスに分解する工程、
−それぞれの前記サブ画像シーケンス内の全てのピクセルについて時間の経過にともなう色の変化の和を計算する工程、
−最大和を有する前記サブ画像シーケンス、あるいは同じ大きさの和または同じ最大和を有する２つの前記サブ画像シーケンスを決定する工程、及び
−最大和を有する前記サブ画像シーケンスに対応する異なるコレステリック液晶の混合物または対応する初感温閾の識別子、あるいは、同じ大きさの和または同じ最大和を有する２つの前記サブ画像シーケンスに対応する混合物または対応する初感温閾または２つの対応する初感温閾の間の初感温閾の識別子を出力する工程、
を含むことを特徴とする方法。
【請求項１０】
生物の表面の温度分布を検出するための接触サーモグラフィのためのＥＬＣ感熱フィルムを自動的に決定するための方法において、
−異なるコレステリック液晶の異なる混合物を有する層を有する少なくとも２枚の感熱フィルムについて、順次に、検査されるべき生物の表面に、異なるコレステリック液晶の厳密に１つの混合物を含む層を有する感熱フィルムを当てる工程及び、必要に応じて、前記感熱フィルムを冷却する工程、
−先に定められた記録時間にわたり、また先に定められた画像記録周波数、解像度及び色深度により、カメラを用いて前記感熱フィルムの加熱の画像シーケンスを記録する工程、及び
−前記画像シーケンス内の全てのピクセルについて時間の経過にともなう色の変化の和を計算する工程、及び
−最大和を有する前記画像シーケンス、あるいは同じ大きさの和または同じ最大和を有する２つの前記画像シーケンスを決定する工程、及び
−最大和を有する前記画像シーケンスに対応する異なるコレステリック液晶の混合物または対応する初感温閾の識別子、あるいは、同じ大きさの和または同じ最大和を有する２つの前記画像シーケンスに対応する混合物または対応する初感温閾または２つの対応する初感温閾の間の初感温閾の識別子を出力する工程、
を含むことを特徴とする方法。
【請求項１１】
前記画像シーケンスがロー（ＲＡＷ）フォーマットで記録されることを特徴とする請求項９または１０に記載の方法。
【請求項１２】
前記記録時間がほぼ２秒から４秒の範囲にあることを特徴とする請求項９から１１のいずれかに記載の方法。
【請求項１３】
前記画像記録周波数が２Ｈｚより高いことを特徴とする請求項９から１２のいずれかに記載の方法。
【請求項１４】
前記解像度がＶＧＡ範囲にあるかまたはさらに高いことを特徴とする請求項９から１３のいずれかの記載の方法。
【請求項１５】
前記色深度が少なくとも８ビットであることを特徴とする請求項９から１４のいずれかに記載の方法。
【請求項１６】
前記ピクセルの色がＲＧＢ空間で記録されるかまたは表されることを特徴とする請求項９から１５のいずれかに記載の方法。
【発明の詳細な説明】
【技術分野】
【０００１】
本出願は、キャリアフィルム、必要に応じてキャリアフィルム上の黒色層及び、キャリアフィルム上または黒色層上の、マイクロカプセルに封入された、コレステリック液晶を含む層を有する、特に、生物の、特に人間の、特に胸の、表面の温度分布を検出するための接触サーモグラフィのためのＥＬＣ感熱フィルムを自動的に決定するためのＥＬＣ感熱フィルム、及び、生物の、特に人間の、特に胸の、表面の温度分布を検出するための接触サーモグラフィのためのＥＬＣ感熱フィルムを自動的に決定するための方法に関する。
【背景技術】
【０００２】
液晶サーモグラフィ、接触サーモグラフィまたはプレートサーモグラフィとも呼ばれる、ＥＬＣ（カプセル封入液晶）サーモグラフィは、それぞれの感温区間または感温範囲における特性温度依存色変化を示すコレステロールエステルの液晶を用いて、面積温度範囲または人体表面の検出に役立つ。
【０００３】
液晶サーモグラフィは、特許文献１にしたがう温度分布を測定するためのサーモグラフィプレートの導入により、臨床乳房診断に広く適用できるようになった。これらの方法においては、マイクロカプセル封入液晶が可撓性フィルム上に塗布されるかまたは可撓性フィルム内に取り入れられる。これはＥＬＣ感熱フィルムとも呼ばれる。これらのＥＬＣ感熱フィルムは次いで胸に直接当てることができ、あるいは、前もって硬質フレームに嵌め込むことができる。液晶サーモグラフィまたはプレートサーモグラフィは、皮膚表面とフィルムの間の直接接触を前提とする、接触熱検査法である。フィルム内の結晶が熱せられ得るときにだけ、有色サーマル画像が生じ得る。この個々のサーマル画像または相対温度分布画像は、感熱フィルムが胸に当てられると直ちに生じる。ＥＬＣ感熱フィルムと胸の間の接触が断たれると、画像は急速に、数秒以内に消える。このプロセスは望む限り頻繁に再現可能であり、患者に全く無害である。
【０００４】
特許文献２は女性の胸のサーマルオプティカル画像を記録するための装置及び方法を開示している。サーマルオプティカル画像の記録には、例えば２８℃，３０℃及び３２℃のような、相異なる初感温閾を有するが、例えば４℃の一様な感温範囲を有する、３枚のＥＬＣ感熱フィルムを利用できることが多い。１５℃〜５０℃の感温範囲のＥＬＣ材料を有する感熱フィルムが市販されている。ＥＬＣ感熱フィルムはそれぞれの初感温閾までは黒色であり、次いで色を変え始め、温度が上昇するにつれて、例えば、赤色から黄色−緑色−青色を経て再び濃藍色になる。色スペクトルは感温範囲内で、例えば２回または３回のように、反復してスキャンすることさえできる。
【０００５】
実際の記録に対しては、例えば上述した３枚のＥＬＣ感熱フィルムから、適するＥＬＣ感熱フィルムが前もって選ばれなければならない。最も認知可能（測定可能）な色スペクトルで加熱プロセスを表すことが意図される。この時点において、適するＥＬＣ感熱フィルムが医師または適切な訓練を受けた技士／看護士により以下のようにして決定または選択される。平均初感温閾を有するＥＬＣ感熱フィルム、普通には初感温閾が３０℃のＥＬＣ感熱フィルムが、胸、または検査されるべきどこか他の体部上に、最初に置かれるべきである。次いで、他の（２枚の）ＥＬＣ感熱フィルムが、それぞれのＥＬＣ感熱フィルムについて熱の放出を比較することができるように、後続する。必要な経験を持つ医師／技士／看護士の評価により、単に目視観察で、上述した目的の達成に最も近くなるＥＬＣ感熱フィルムが選ばれる。しかし、低すぎる初感温閾を有するＥＬＣ感熱フィルムが選ばれると、感温範囲の上限に達するまで、色スケールまたは色スペクトルが完全にはスキャンされず、ほとんどの部分がスキップされる（認知できなくなる）という結果になる。
【０００６】
対照的に、高すぎる初感温閾を有するＥＬＣ感熱フィルムが選ばれると、可能な色スケールの一部だけが表示され、用いられるという結果になる。表される色スペクトル、したがって温度スペクトルはその弁別可能性に関して完全には認知可能にならない。
【０００７】
従来、それぞれの隣り合うフィルムに対して大きな温度オーバーラップを有するフィルムは、肉眼で正しいフィルムを決定することが可能ではないことから不要とされていた。
【先行技術文献】
【特許文献】
【０００８】
【特許文献１】独国特許発明第２５３６７７３Ｃ３号明細書
【特許文献２】欧州特許第１１７１０２７Ｂ１号明細書
【発明の概要】
【発明が解決しようとする課題】
【０００９】
本発明の課題は、それぞれ適するＥＬＣ感熱フィルムの、好ましくは自動化形態での、より正確な決定を可能にする手段を提供することである。
【課題を解決するための手段】
【００１０】
上記課題は、キャリアフィルム、必要に応じてキャリアフィルム上の黒色層及び、キャリアフィルム上または黒色層上の、好ましくはマイクロカプセルに封入された、コレステリック液晶を含む層を有し、液晶を含む層が、異なるコレステリック液晶の少なくとも２つの異なる混合物を有する領域に格子形またはリボン形の態様で細分されていることを特徴とする、生物の、特に人間の、特に胸の、表面の温度分布を検出するための接触サーモグラフィのためのＥＬＣ感熱フィルムを用いることにより、本発明にしたがって解決される。本ＥＬＣ感熱フィルムは、複合フィルムまたは試験フィルムとして指定することもできる。この場合、異なる混合物は異なる初感温閾に対応する。
【００１１】
さらに、上記課題は、生物の、特に人間の、特に胸の、表面の温度分布を検出するための接触サーモグラフィのためのＥＬＣ感熱フィルムを自動的に決定するための、
−検査されるべき生物の表面に、上述したような感熱フィルムを当てる工程及び、必要に応じて、感熱フィルムを冷却する工程、
−先に定められた記録時間にわたり、また先に定められた画像記録周波数、解像度及び色深度により、カメラ、好ましくはデジタルカメラを用いて、感熱フィルムの加熱の画像シーケンスを記録する工程、
−画像シーケンス内のそれぞれの画像について、感熱フィルムの異なるコレステリック液晶の同じ混合物を有する領域に対応する画像ラスター要素を抽出して、それらの要素を結合し、好ましくは時系列的に配列することで、サブ画像を形成することにより、異なるコレステリック液晶の異なる混合物を有する領域の数に対応する数のサブ画像シーケンスに分解する工程、
−それぞれのサブ画像シーケンス内の全てのピクセルについて時間の経過にともなう色の変化の和を計算する工程、
−最大和を有するサブ画像シーケンス、あるいは同じ大きさの和または同じ最大和を有する２つのサブ画像シーケンスを決定する工程、及び
−最大和を有するサブ画像シーケンスに対応する異なるコレステリック液晶の混合物または対応する初感温閾の識別子、あるいは、同じ大きさの和または同じ最大和を有するサブ画像シーケンスに対応する混合物または対応する初感温閾または２つの対応する初感温閾の間の初感温閾の識別子を、好ましくは自動的に、出力する工程、
を含む方法を用いて解決される。画像シーケンスの記録について、例えば、アナログビデオカメラを用い、続いてデジタル化することもできるであろうことは言うまでもない。
【００１２】
言い換えれば、画像の色変化のダイナミックレンジまたはピクセルの色変化のダイナミックレンジが評価される。すなわち、個々のピクセルの色変化は、より短い時間における色プロファイルの同じ色数をスキャンする場合、一定の色プロファイルに対してより高いピクセル変化ダイナミックレンジを有する。ダイナミックレンジは、例えば単位時間当たりにスキャンされる色数で表すことができる。したがって、多くのピクセルからなる画像は、ピクセル色変化ダイナミックレンジの和が対照画像におけるピクセル色変化ダイナミックレンジの和より大きければ、より高い画像色変化ダイナミックレンジを有する。
【００１３】
さらに、上記課題は、異なる、好ましくはマイクロカプセルに封入された、コレステリック液晶の異なる混合物を有する層を有する少なくとも２枚の感熱フィルムについて、順次に、検査されるべき生物の表面に、異なる、好ましくはマイクロカプセルに封入された、コレステリック液晶の厳密に１つの混合物を含む層を有する感熱フィルムを当てる工程及び必要に応じて感熱フィルムを冷却する工程、先に定められた記録時間にわたり、また先に定められた画像記録周波数、解像度及び色深度により、カメラ、好ましくはデジタルカメラを用いて感熱フィルムの加熱の画像シーケンスを記録する工程、及び画像シーケンス内の全てのピクセルについて時間の経過にともなう色の変化の和を計算する工程、及び最大和を有する画像シーケンス、あるいは同じ大きさの和または同じ最大和を有する２つの画像シーケンスを決定する工程、及び最大和を有する画像シーケンスに対応する異なるコレステリック液晶の混合物または対応する初感温閾の識別子、あるいは、同じ大きさの和または同じ最大和を有する２つの画像シーケンスに対応する混合物あるいは対応する初感温閾または２つの対応する初感温閾の間の初感温閾の識別子を、好ましくは自動的に、出力する工程、を含む、生物の、特に人間の、特に胸の、表面の温度分布を検出するための接触サーモグラフィのためのＥＬＣ感熱フィルムを決定するための方法によって解決される。
【００１４】
ＥＬＣ感熱フィルムの場合、コレステリック液晶を含む層の上に保護層が設けられることが有益である。
【００１５】
ＥＬＣ感熱フィルムの場合、領域は一様に分布すると便宜が良い。
【００１６】
領域は同じ大きさを有することが有利である。原理的に、領域は可能な限り小さくするべきである。現時点で、１〜２ｍｍのオーダーの最小直径を有する領域を実現することができる。
【００１７】
本発明の別の特定の実施形態にしたがえば、領域は正方形または長方形である。しかし他の形状も可能であることは言うまでもない。
【００１８】
異なる混合物は同等の感温範囲を有することが有利である。特に、この場合、少なくとも２つの隣り合う感温範囲を相互に接しさせるための手段をとることができる。あるいはまたはさらに、少なくとも２つの隣り合う感温範囲を相互にオーバーラップさせるための手段をとることができる、
本方法の場合、画像シーケンスはロー（ＲＡＷ）フォーマットで記録されることが有利であるが、他のフォーマットも考えることができる。
【００１９】
記録時間はほぼ２〜４秒の範囲にあることが有利である。
【００２０】
画像記録周波数は２Ｈｚ以上であると便宜が良い。
【００２１】
解像度はＶＧＡ（６４０×４８０ピクセル）レベルないしさらに高い範囲にあると便宜がよい。
【００２２】
色深度は少なくとも８ビットであると、便宜が良い。
【００２３】
ピクセルの色はＲＧＢ（赤、緑、青）空間で記録されるかまたは表されることが有利である。
【００２４】
本発明はピクセル色変化ダイナミックレンジまたは画像色変化ダイナミックレンジを評価することで、標準化された態様で、再現性があり、また好ましくは自動化された形態において、客観的基準にしたがって適するＥＬＣ感熱フィルムを決定することが可能になるという、驚くべき洞察に基づく。１枚のフィルムを用いることにより、フィルム自体による冷却の影響は常に同じになる。実は、複数枚の異なるフィルムの使用によって従来は常に存在していた望ましくない冷却の影響が再現性のあるプロセスを阻んでいた。特定の一実施形態にしたがって複合フィルムが用いられると、時間を節約することさえも可能になる。従来、画像シーケンスは必ず人間の眼によって途絶されていた。加熱が急速すぎる感熱フィルムの場合、人間の眼はそのような高い空間分解能及び時間分解能を達成することはできず、そのような量の情報を処理することはできないから、判断することは不可能である。温度区間は、肉眼による温度区間の弁別が可能であるような、眼にとって最小の大きさでなければならず、オーバーラップは許されていないかあるいは僅かなオーバーラップしか許されていなかった。
【００２５】
本発明のさらなる特徴は添付される特許請求の範囲及び、簡略な図面を参照して実施形態例を詳細に説明する、以下の説明から明白である。
【図面の簡単な説明】
【００２６】
【図１】図１は、本発明の特定の一実施形態にしたがう、ＥＬＣ感熱フィルムの格子形細分区画を示す。
【図２】図２は、低初感温閾を有するＥＬＣ感熱フィルムの領域に基づく、特定の時点に対する画像シーケンスのサブ画像を示す。
【図３】図３は、中初感温閾を有するＥＬＣ感熱フィルムの領域に基づく、特定の時点に対する画像シーケンスのサブ画像を示す。
【図４】図４は、高初感温閾を有するＥＬＣ感熱フィルムの領域に基づく、特定の時点に対する画像シーケンスのサブ画像を示す。
【図５】図５は、画像シーケンスの３つの異なる時点における、中初感温閾を有するＥＬＣ感熱フィルムの領域に基づくサブ画像からの抜粋を示す。
【図６】図６は、３つの異なる初感温閾に基づく画像の全ピクセルに対する、時間の経過にともなう色変化の和の、時間の関数としての、グラフ表示を示す。
【発明を実施するための形態】
【００２７】
図１から明らかなように、本発明の特定の実施形態の１つにしたがうＥＬＣ感熱フィルム１０は、異なるコレステリック液晶の３つの異なる混合物を有し、したがった異なる初感温閾を有する、正方形領域（ほぼ１ｃｍ×１ｃｍ）に格子形態様で細分されている。低い、すなわち２８℃の、初感温閾を有する領域は番号、１，４，７，１０，１３，１６，１９，２２，２５．２８，３１，等が付された領域である。３０℃の中初感温閾を有する領域には、３，６，９，１２，１５，１８，２１，２４，２７，３０，等のように、連続して付番されている。最後に、高い、すなわち３２℃の、初感温閾を有する領域には番号、３，６，９，１２，１５，１８，２１，２４，２７，３０，等の番号が付されている。異なる初感温閾を有する領域は、異なる順序でも配列され得るであろうこと及び／または異なる数の混合物が用いられ得るであろうことは言うまでもない。これらの領域は異なる初感温閾を有するだけでなく、本事例では同じであるように選ばれ、ほぼ３℃である、感温範囲も有する。どの初感温閾が最も弁別され得る熱画像に最善に適するかを決定するため、試験フィルムまたは複合フィルムとも呼ばれる、ＥＬＣ感熱フィルム１０が例えば女性の胸の上に置かれ、液晶がもはや反射しなくなるまでＥＬＣ感熱フィルムができるだけ冷却された後、ＥＬＣ感熱フィルム１０の加熱の画像シーケンスがデジタルカメラを用いてローフォーマットまたはその他のフォーマットで記録される。本例において、解像度は６４０×４８０ピクセル（ＶＧＡ）であり、色深度は８ビット、画像記録周波数は２Ｈｚ以上である。より高い解像度及び色深度及び／またはより高い画像記録周波数はそれぞれ表示の正確度を向上させる。したがって、ＥＬＣ感熱フィルムの最高解像度は有意な解像度に対する限度を表す。ＥＬＣ感熱フィルムの空間分解能はほぼ０.０１ｍｍに達する。高感度ＥＬＣ感熱フィルムの場合、温度分解能はほぼ０.００７℃である。感温範囲が２秒に一回スキャンされるとすれば、最適画像記録周波数は４５Ｈｚになる。同じ時間で２回の一様スキャンの場合、最適画像記録周波数は９０Ｈｚになる。
【００２８】
好ましい実施形態の１つにおいて、個々のデジタル画像は、１６００×１２００ピクセルの解像度及び２４ビット（赤色、緑色及び青色のそれぞれについて８ビット）の色深度で生成される。４８ビットの色深度も可能である。特定の実施例において画像記録周波数は９０Ｈｚである。
【００２９】
ＥＬＣ感熱フィルム１０のソフトウエア援用評価は、感熱フィルムの異なるコレステリック液晶の同じ混合物を有する領域に対応する画像ラスター要素を抽出する工程及び、低初感温閾、中初感温閾及び高初感温閾を有する領域について、図２〜４に示されるように、サブ画像１２を形成するために、抽出した画像ラスター要素を結合する工程を含む。その後、３つの、すなわちそれぞれの初感温閾についての、サブ画像シーケンスが、例えばより高い初感温閾を有する領域について３つの連続する時点だけに対して図５に示されるように、サブ画像を時系列的に配列することによって生成される。言い換えれば、画像シーケンスが３つのサブ画像シーケンスに分解される。例えば体部がそこにないため、色変化がない正方形は考慮されず、省かれる。
【００３０】
それぞれの事例において同じ時点で仮想的に生成されたサブ画像から、またそれらから得られたサブ画像シーケンスから、それぞれのピクセルについて色変化の進行が決定される。画像ピクセルの非代表的色成分についての色変化進行を以下に示す：
Ｔｘ：                ＥＬＣ感熱フィルムの加熱の時点
デルタＦｙ：          画像色変化ダイナミックレンジ（３つの色成分（赤、緑、青）
の間の差の絶対値の和）
フィルム１ Ｔ１：      赤＝３２，緑＝７２，青＝１６８
フィルム２ Ｔ２：                       赤＝３５，緑＝７１，青＝１７８
デルタＦ１ Ｔ２−Ｔ１：  ３（赤）＋１（緑）＋１０（青）＝１４
フィルム１ Ｔ３：      赤＝３８，緑＝７７，青＝１８８
デルタＦ１ Ｔ３−Ｔ２：３（赤）＋６（緑）＋１０（青）＝１９
フィルム１ Ｔ４：      赤＝５０，緑＝６２，青＝１５０
デルタＦ＋ Ｔ４−Ｔ３：１２（赤）＋１５（緑）＋３８（青）＝６５
フィルム１ Ｔ５：      - -
デルタＦ１ Ｔ５−Ｔ４：- -。
【００３１】
次に図６は、異なる初感温閾を有する３枚のＥＬＣ感熱フィルムについて、例として、上述した値には関わらず、デルタＦｙを時間Ｔｘの関数として示す。初感温閾が高くなるにつれて（フィルム１→フィルム２→フィルム３）、曲線は益々平らになる。加熱区間にわたる時点Ｔｘの全てにかけてのＴｘについての、画像色変化ダイナミックレンジデルタＦｙの和はそれぞれの曲線の下側の面積に相当する。決定されるべきＥＬＣ感熱フィルムは可能性が最も高い色スペクトルで加熱プロセスを表すことが目的とされ、色スペクトルは一般に少なくとも２回スキャンされる。下側の面積が最大の曲線が、所望のＥＬＣ感熱フィルムにふさわしい。
【００３２】
下側の面積がほぼ等しい曲線が２つある場合については、言い換えれば、和が同等の場合については、２枚の同等の和を有するＥＬＣ感熱フィルムのそれぞれの感温範囲の間に感温範囲があり、相互に隣接する感温範囲が、好ましくはそれぞれの場合において半分まで、オーバーラップする、ＥＬＣ感熱フィルムが用いられるべきであり、同等性は例えばほぼ１５％または２０％の許容閾によって定めることができる。
【００３３】
ＥＬＣ感熱フィルムの色及び、青色、赤色及び緑色について８ビット色深度で表される、得られるデジタルカラーの割当ては以下の手順を用いて実行される。
【表１】
2014513270.tif 000003
【００３４】
色の変化は上の割当て表から明らかである。したがって、赤、緑及び青で定められる、それぞれのデジタルカラー変化は、対応する場所におけるＥＬＣ感熱フィルムの温度を示す。よって１００分の１℃の変化が１ステップで定められる。したがってダイナミックな温度変化が時点毎に数ステップで表され、よって測定可能及び計数可能になる。
【００３５】
ＥＬＣ感熱フィルムの物理特性（初感温閾）に依存する適切な解像度及び色深度の決定の別の例が以下に示される。
【００３６】
ＥＬＣ感熱フィルムの物理特性：
感熱フィルムの温度分解能力は０.００７℃に達する（Liquid Crystals Ind. Inc.，米国ペンシルバニア州タートルクリーク(Turtle Creek)−「温度測定体または温度計及びそれを作製するための方法(Thermometric Objects or Thermometers and Methods for producing same)」）。
【００３７】
液晶感熱フィルムの空間分解能は０.０１ｍｍ×０.０１ｍｍと決定される（ケイ・ワグネル(K. Wagner)及びエイチ・ライビック(H. Leibig)，「液晶−その使用及びそれに関する問題(Flussigkristalle - Ihre Anwendung und deren Problematik)」，Chemiker zeitung，１９７１年，第９５巻，ｐ.７３３〜７３６）。
【００３８】
適切な分解能の決定：
１.）空間分解能：
感熱フィルム測定の所要面積：２５ｃｍ×３０ｃｍ
１ｃｍ当たりに弁別され得るピクセル数：
１ｃｍ＝１００ｍｍ/０.０１ｍｍ：１００００
１００００×２５ｃｍ及び３０ｃｍ：＝２５００００×３０００００
ピクセル数＝７５０億；
２.）温度分解能は色弁別によって表される。完全カラーパス速度を考慮すると、異なる色相／色階調の弁別性は、画像周波数及び所要色弁別可能性（色深度）を規定する；
サリュートグラフィ(salutography)において、完全カラーパスはすでに１秒以内の下限で（迅速に）達成されている。この場合、カラーパスは１.５℃の温度スペクトルを有する；
１.５℃/０.００７℃＝２１４.５
この結果、１.５秒に２１４.５の異なる色または１秒当たり１４２.９の異なる色相が得られる；
この結果、無損失を保証するための１秒当たりの所要画像リフレッシュ数は１４２.９μｍになる。
【００３９】
要約：
上記の空間分解能は(妥当な価格の)市販装置ではまだ完全に実現できていない。しかし、この場合、６４０×４８０の解像度によるこれまでの良好な経験に基づいて実証されるように、ほぼ２００万ピクセル（ＶＧＡ ６４０×４８０のほぼ８倍，ほぼ３００万ピクセル）のフルハイビジョンの解像度で十分なはずである。
【００４０】
色深度については既に８ビットで十分である。便宜上、既存の標準により現時点で損失を確実に排除するため、ここでは２４ビットが用いられる。
【００４１】
画像リフレッシュについては、空間分解能について先述したように、１４３Ｈｚの最適周波数値は性能−価格の観点から適切ではないであろうから、可能な最高周波数が選ばれるべきである。デジタル撮像においては、標準として６０Ｈｚまでの画像周波数がフルハイビジョンに対して提供されている。
【００４２】
本明細書、図面及び特許請求の範囲に開示される本発明の特徴は、個別にも、所望のいかなる組合せにおいても、様々な実施形態における本発明の実現に肝要であり得る。
【符号の説明】
【００４３】
１０    ＥＬＣ感熱フィルム
１２    サブ画像
【図１】
2014513270.tif 000004
【図２】
2014513270.tif 000005
【図３】
2014513270.tif 000006
【図４】
2014513270.tif 000007
【図５】
2014513270.tif 000008
【図６】
2014513270.tif 000009
【手続補正書】
【提出日】平成26年2月5日(2014.2.5)
【手続補正１】
【補正対象書類名】明細書
【補正対象項目名】全文
【補正方法】変更
【補正の内容】
【発明の詳細な説明】
【技術分野】
【０００１】
本出願は、キャリアフィルム、必要に応じてキャリアフィルム上の黒色層及び、キャリアフィルム上または黒色層上の、マイクロカプセルに封入された、コレステリック液晶を含む層を有する、特に、生物の、特に人間の、特に胸の、表面の温度分布を検出するための接触サーモグラフィのためのＥＬＣ感熱フィルムを自動的に決定するためのＥＬＣ感熱フィルム、及び、生物の、特に人間の、特に胸の、表面の温度分布を検出するための接触サーモグラフィのためのＥＬＣ感熱フィルムを自動的に決定するための方法に関する。
【背景技術】
【０００２】
液晶サーモグラフィ、接触サーモグラフィまたはプレートサーモグラフィとも呼ばれる、ＥＬＣ（カプセル封入液晶）サーモグラフィは、それぞれの感温区間または感温範囲における特性温度依存色変化を示すコレステロールエステルの液晶を用いて、面積温度範囲または人体表面の検出に役立つ。
【０００３】
液晶サーモグラフィは、特許文献１にしたがう温度分布を測定するためのサーモグラフィプレートの導入により、臨床乳房診断に広く適用できるようになった。これらの方法においては、マイクロカプセル封入液晶が可撓性フィルム上に塗布されるかまたは可撓性フィルム内に取り入れられる。これはＥＬＣ感熱フィルムとも呼ばれる。これらのＥＬＣ感熱フィルムは次いで胸に直接当てることができ、あるいは、前もって硬質フレームに嵌め込むことができる。液晶サーモグラフィまたはプレートサーモグラフィは、皮膚表面とフィルムの間の直接接触を前提とする、接触熱検査法である。フィルム内の結晶が熱せられ得るときにだけ、有色サーマル画像が生じ得る。この個々のサーマル画像または相対温度分布画像は、感熱フィルムが胸に当てられると直ちに生じる。ＥＬＣ感熱フィルムと胸の間の接触が断たれると、画像は急速に、数秒以内に消える。このプロセスは望む限り頻繁に再現可能であり、患者に全く無害である。
【０００４】
特許文献２は女性の胸のサーマルオプティカル画像を記録するための装置及び方法を開示している。サーマルオプティカル画像の記録には、例えば２８℃，３０℃及び３２℃のような、相異なる初感温閾を有するが、例えば４℃の一様な感温範囲を有する、３枚のＥＬＣ感熱フィルムを利用できることが多い。１５℃〜５０℃の感温範囲のＥＬＣ材料を有する感熱フィルムが市販されている。ＥＬＣ感熱フィルムはそれぞれの初感温閾までは黒色であり、次いで色を変え始め、温度が上昇するにつれて、例えば、赤色から黄色−緑色−青色を経て再び濃藍色になる。色スペクトルは感温範囲内で、例えば２回または３回のように、反復してスキャンすることさえできる。
【０００５】
実際の記録に対しては、例えば上述した３枚のＥＬＣ感熱フィルムから、適するＥＬＣ感熱フィルムが前もって選ばれなければならない。最も認知可能（測定可能）な色スペクトルで加熱プロセスを表すことが意図される。この時点において、適するＥＬＣ感熱フィルムが医師または適切な訓練を受けた技士／看護士により以下のようにして決定または選択される。平均初感温閾を有するＥＬＣ感熱フィルム、普通には初感温閾が３０℃のＥＬＣ感熱フィルムが、胸、または検査されるべきどこか他の体部上に、最初に置かれるべきである。次いで、他の（２枚の）ＥＬＣ感熱フィルムが、それぞれのＥＬＣ感熱フィルムについて熱の放出を比較することができるように、後続する。必要な経験を持つ医師／技士／看護士の評価により、単に目視観察で、上述した目的の達成に最も近くなるＥＬＣ感熱フィルムが選ばれる。しかし、低すぎる初感温閾を有するＥＬＣ感熱フィルムが選ばれると、感温範囲の上限に達するまで、色スケールまたは色スペクトルが完全にはスキャンされず、ほとんどの部分がスキップされる（認知できなくなる）という結果になる。
【０００６】
対照的に、高すぎる初感温閾を有するＥＬＣ感熱フィルムが選ばれると、可能な色スケールの一部だけが表示され、用いられるという結果になる。表される色スペクトル、したがって温度スペクトルはその弁別可能性に関して完全には認知可能にならない。
【０００７】
従来、それぞれの隣り合うフィルムに対して大きな温度オーバーラップを有するフィルムは、肉眼で正しいフィルムを決定することが可能ではないことから不要とされていた。
【先行技術文献】
【特許文献】
【０００８】
【特許文献１】独国特許発明第２５３６７７３Ｃ３号明細書
【特許文献２】欧州特許第１１７１０２７Ｂ１号明細書
【発明の概要】
【発明が解決しようとする課題】
【０００９】
本発明の課題は、それぞれ適するＥＬＣ感熱フィルムの、好ましくは自動化形態での、より正確な決定を可能にする手段を提供することである。
【課題を解決するための手段】
【００１０】
上記課題は、キャリアフィルム、必要に応じてキャリアフィルム上の黒色層及び、キャリアフィルム上または黒色層上の、好ましくはマイクロカプセルに封入された、コレステリック液晶を含む層を有し、液晶を含む層が、異なるコレステリック液晶の少なくとも２つの異なる混合物を有する領域に格子形またはリボン形の態様で細分されていることを特徴とする、生物の、特に人間の、特に胸の、表面の温度分布を検出するための接触サーモグラフィのためのＥＬＣ感熱フィルムを用いることにより、本発明にしたがって解決される。本ＥＬＣ感熱フィルムは、複合フィルムまたは試験フィルムとして指定することもできる。この場合、異なる混合物は異なる初感温閾に対応する。
【００１１】
さらに、上記課題は、生物の、特に人間の、特に胸の、表面の温度分布を検出するための接触サーモグラフィのためのＥＬＣ感熱フィルムを自動的に決定するための、
−検査されるべき生物の表面に、上述したような感熱フィルムを当てる工程及び、必要に応じて、感熱フィルムを冷却する工程、
−先に定められた記録時間にわたり、また先に定められた画像記録周波数、解像度及び色深度により、カメラ、好ましくはデジタルカメラを用いて、感熱フィルムの加熱の画像シーケンスを記録する工程、
−画像シーケンス内のそれぞれの画像について、感熱フィルムの異なるコレステリック液晶の同じ混合物を有する領域に対応する画像ラスター要素を抽出して、それらの要素を結合し、好ましくは時系列的に配列することで、サブ画像を形成することにより、異なるコレステリック液晶の異なる混合物を有する領域の数に対応する数のサブ画像シーケンスに分解する工程、
−それぞれのサブ画像シーケンス内の全てのピクセルについて時間の経過にともなう色の変化の和を計算する工程、
−最大和を有するサブ画像シーケンス、あるいは同じ大きさの和または同じ最大和を有する２つのサブ画像シーケンスを決定する工程、及び
−最大和を有するサブ画像シーケンスに対応する異なるコレステリック液晶の混合物または対応する初感温閾の識別子、あるいは、同じ大きさの和または同じ最大和を有するサブ画像シーケンスに対応する混合物または対応する初感温閾または２つの対応する初感温閾の間の初感温閾の識別子を、好ましくは自動的に、出力する工程、
を含む方法を用いて解決される。画像シーケンスの記録について、例えば、アナログビデオカメラを用い、続いてデジタル化することもできるであろうことは言うまでもない。
【００１２】
言い換えれば、画像の色変化のダイナミックレンジまたはピクセルの色変化のダイナミックレンジが評価される。すなわち、個々のピクセルの色変化は、より短い時間における色プロファイルの同じ色数をスキャンする場合、一定の色プロファイルに対してより高いピクセル変化ダイナミックレンジを有する。ダイナミックレンジは、例えば単位時間当たりにスキャンされる色数で表すことができる。したがって、多くのピクセルからなる画像は、ピクセル色変化ダイナミックレンジの和が対照画像におけるピクセル色変化ダイナミックレンジの和より大きければ、より高い画像色変化ダイナミックレンジを有する。
【００１３】
さらに、上記課題は、異なる、好ましくはマイクロカプセルに封入された、コレステリック液晶の異なる混合物を有する層を有する少なくとも２枚の感熱フィルムについて、順次に、検査されるべき生物の表面に、異なる、好ましくはマイクロカプセルに封入された、コレステリック液晶の厳密に１つの混合物を含む層を有する感熱フィルムを当てる工程及び必要に応じて感熱フィルムを冷却する工程、先に定められた記録時間にわたり、また先に定められた画像記録周波数、解像度及び色深度により、カメラ、好ましくはデジタルカメラを用いて感熱フィルムの加熱の画像シーケンスを記録する工程、及び画像シーケンス内の全てのピクセルについて時間の経過にともなう色の変化の和を計算する工程、及び最大和を有する画像シーケンス、あるいは同じ大きさの和または同じ最大和を有する２つの画像シーケンスを決定する工程、及び最大和を有する画像シーケンスに対応する異なるコレステリック液晶の混合物または対応する初感温閾の識別子、あるいは、同じ大きさの和または同じ最大和を有する２つの画像シーケンスに対応する混合物あるいは対応する初感温閾または２つの対応する初感温閾の間の初感温閾の識別子を、好ましくは自動的に、出力する工程、を含む、生物の、特に人間の、特に胸の、表面の温度分布を検出するための接触サーモグラフィのためのＥＬＣ感熱フィルムを決定するための方法によって解決される。
【００１４】
ＥＬＣ感熱フィルムの場合、コレステリック液晶を含む層の上に保護層が設けられることが有益である。
【００１５】
ＥＬＣ感熱フィルムの場合、領域は一様に分布すると便宜が良い。
【００１６】
領域は同じ大きさを有することが有利である。原理的に、領域は可能な限り小さくするべきである。現時点で、１〜２ｍｍのオーダーの最小直径を有する領域を実現することができる。
【００１７】
本発明の別の特定の実施形態にしたがえば、領域は正方形または長方形である。しかし他の形状も可能であることは言うまでもない。
【００１８】
異なる混合物は同等の感温範囲を有することが有利である。特に、この場合、少なくとも２つの隣り合う感温範囲を相互に接しさせるための手段をとることができる。あるいはまたはさらに、少なくとも２つの隣り合う感温範囲を相互にオーバーラップさせるための手段をとることができる、
本方法の場合、画像シーケンスはロー（ＲＡＷ）フォーマットで記録されることが有利であるが、他のフォーマットも考えることができる。
【００１９】
記録時間はほぼ２〜４秒の範囲にあることが有利である。
【００２０】
画像記録周波数は２Ｈｚ以上であると便宜が良い。
【００２１】
解像度はＶＧＡ（６４０×４８０ピクセル）レベルないしさらに高い範囲にあると便宜がよい。
【００２２】
色深度は少なくとも８ビットであると、便宜が良い。
【００２３】
ピクセルの色はＲＧＢ（赤、緑、青）空間で記録されるかまたは表されることが有利である。
【００２４】
本発明はピクセル色変化ダイナミックレンジまたは画像色変化ダイナミックレンジを評価することで、標準化された態様で、再現性があり、また好ましくは自動化された形態において、客観的基準にしたがって適するＥＬＣ感熱フィルムを決定することが可能になるという、驚くべき洞察に基づく。１枚のフィルムを用いることにより、フィルム自体による冷却の影響は常に同じになる。実は、複数枚の異なるフィルムの使用によって従来は常に存在していた望ましくない冷却の影響が再現性のあるプロセスを阻んでいた。特定の一実施形態にしたがって複合フィルムが用いられると、時間を節約することさえも可能になる。従来、画像シーケンスは必ず人間の眼によって途絶されていた。加熱が急速すぎる感熱フィルムの場合、人間の眼はそのような高い空間分解能及び時間分解能を達成することはできず、そのような量の情報を処理することはできないから、判断することは不可能である。温度区間は、肉眼による温度区間の弁別が可能であるような、眼にとって最小の大きさでなければならず、オーバーラップは許されていないかあるいは僅かなオーバーラップしか許されていなかった。
【００２５】
本発明のさらなる特徴は添付される特許請求の範囲及び、簡略な図面を参照して実施形態例を詳細に説明する、以下の説明から明白である。
【図面の簡単な説明】
【００２６】
【図１】図１は、本発明の特定の一実施形態にしたがう、ＥＬＣ感熱フィルムの格子形細分区画を示す。
【図２】図２は、低初感温閾を有するＥＬＣ感熱フィルムの領域に基づく、特定の時点に対する画像シーケンスのサブ画像を示す。
【図３】図３は、中初感温閾を有するＥＬＣ感熱フィルムの領域に基づく、特定の時点に対する画像シーケンスのサブ画像を示す。
【図４】図４は、高初感温閾を有するＥＬＣ感熱フィルムの領域に基づく、特定の時点に対する画像シーケンスのサブ画像を示す。
【図５】図５は、画像シーケンスの３つの異なる時点における、中初感温閾を有するＥＬＣ感熱フィルムの領域に基づくサブ画像からの抜粋を示す。
【図６】図６は、３つの異なる初感温閾に基づく画像の全ピクセルに対する、時間の経過にともなう色変化の和の、時間の関数としての、グラフ表示を示す。
【発明を実施するための形態】
【００２７】
図１から明らかなように、本発明の特定の実施形態の１つにしたがうＥＬＣ感熱フィルム１０は、異なるコレステリック液晶の３つの異なる混合物を有し、したがった異なる初感温閾を有する、正方形領域（ほぼ１ｃｍ×１ｃｍ）に格子形態様で細分されている。低い、すなわち２８℃の、初感温閾を有する領域は番号、１，４，７，１０，１３，１６，１９，２２，２５．２８，３１，等が付された領域である。３０℃の中初感温閾を有する領域には、３，６，９，１２，１５，１８，２１，２４，２７，３０，等のように、連続して付番されている。最後に、高い、すなわち３２℃の、初感温閾を有する領域には番号、３，６，９，１２，１５，１８，２１，２４，２７，３０，等の番号が付されている。異なる初感温閾を有する領域は、異なる順序でも配列され得るであろうこと及び／または異なる数の混合物が用いられ得るであろうことは言うまでもない。これらの領域は異なる初感温閾を有するだけでなく、本事例では同じであるように選ばれ、ほぼ３℃である、感温範囲も有する。どの初感温閾が最も弁別され得る熱画像に最善に適するかを決定するため、試験フィルムまたは複合フィルムとも呼ばれる、ＥＬＣ感熱フィルム１０が例えば女性の胸の上に置かれ、液晶がもはや反射しなくなるまでＥＬＣ感熱フィルムができるだけ冷却された後、ＥＬＣ感熱フィルム１０の加熱の画像シーケンスがデジタルカメラを用いてローフォーマットまたはその他のフォーマットで記録される。本例において、解像度は６４０×４８０ピクセル（ＶＧＡ）であり、色深度は８ビット、画像記録周波数は２Ｈｚ以上である。より高い解像度及び色深度及び／またはより高い画像記録周波数はそれぞれ表示の正確度を向上させる。したがって、ＥＬＣ感熱フィルムの最高解像度は有意な解像度に対する限度を表す。ＥＬＣ感熱フィルムの空間分解能はほぼ０.０１ｍｍに達する。高感度ＥＬＣ感熱フィルムの場合、温度分解能はほぼ０.００７℃である。感温範囲が２秒に一回スキャンされるとすれば、最適画像記録周波数は４５Ｈｚになる。同じ時間で２回の一様スキャンの場合、最適画像記録周波数は９０Ｈｚになる。
【００２８】
好ましい実施形態の１つにおいて、個々のデジタル画像は、１６００×１２００ピクセルの解像度及び２４ビット（赤色、緑色及び青色のそれぞれについて８ビット）の色深度で生成される。４８ビットの色深度も可能である。特定の実施例において画像記録周波数は９０Ｈｚである。
【００２９】
ＥＬＣ感熱フィルム１０のソフトウエア援用評価は、感熱フィルムの異なるコレステリック液晶の同じ混合物を有する領域に対応する画像ラスター要素を抽出する工程及び、低初感温閾、中初感温閾及び高初感温閾を有する領域について、図２〜４に示されるように、サブ画像１２を形成するために、抽出した画像ラスター要素を結合する工程を含む。その後、３つの、すなわちそれぞれの初感温閾についての、サブ画像シーケンスが、例えばより高い初感温閾を有する領域について３つの連続する時点だけに対して図５に示されるように、サブ画像を時系列的に配列することによって生成される。言い換えれば、画像シーケンスが３つのサブ画像シーケンスに分解される。例えば体部がそこにないため、色変化がない正方形は考慮されず、省かれる。
【００３０】
それぞれの事例において同じ時点で仮想的に生成されたサブ画像から、またそれらから得られたサブ画像シーケンスから、それぞれのピクセルについて色変化の進行が決定される。画像ピクセルの非代表的色成分についての色変化進行を以下に示す：
Ｔｘ：                ＥＬＣ感熱フィルムの加熱の時点
デルタＦｙ：          画像色変化ダイナミックレンジ（３つの色成分（赤、緑、青）
の間の差の絶対値の和）
フィルム１ Ｔ１：      赤＝３２，緑＝７２，青＝１６８
フィルム１ Ｔ２：                       赤＝３５，緑＝７１，青＝１７８
デルタＦ１ Ｔ２−Ｔ１：  ３（赤）＋１（緑）＋１０（青）＝１４
フィルム１ Ｔ３：      赤＝３８，緑＝７７，青＝１８８
デルタＦ１ Ｔ３−Ｔ２：３（赤）＋６（緑）＋１０（青）＝１９
フィルム１ Ｔ４：      赤＝５０，緑＝６２，青＝１５０
デルタＦ１ Ｔ４−Ｔ３：１２（赤）＋１５（緑）＋３８（青）＝６５
フィルム１ Ｔ５：      - -
デルタＦ１ Ｔ５−Ｔ４：- -。
【００３１】
次に図６は、異なる初感温閾を有する３枚のＥＬＣ感熱フィルムについて、例として、上述した値には関わらず、デルタＦｙを時間Ｔｘの関数として示す。初感温閾が高くなるにつれて（フィルム１→フィルム２→フィルム３）、曲線は益々平らになる。加熱区間にわたる時点Ｔｘの全てにかけてのＴｘについての、画像色変化ダイナミックレンジデルタＦｙの和はそれぞれの曲線の下側の面積に相当する。決定されるべきＥＬＣ感熱フィルムは可能性が最も高い色スペクトルで加熱プロセスを表すことが目的とされ、色スペクトルは一般に少なくとも２回スキャンされる。下側の面積が最大の曲線が、所望のＥＬＣ感熱フィルムにふさわしい。
【００３２】
下側の面積がほぼ等しい曲線が２つある場合については、言い換えれば、和が同等の場合については、２枚の同等の和を有するＥＬＣ感熱フィルムのそれぞれの感温範囲の間に感温範囲があり、相互に隣接する感温範囲が、好ましくはそれぞれの場合において半分まで、オーバーラップする、ＥＬＣ感熱フィルムが用いられるべきであり、同等性は例えばほぼ１５％または２０％の許容閾によって定めることができる。
【００３３】
ＥＬＣ感熱フィルムの色及び、青色、赤色及び緑色について８ビット色深度で表される、得られるデジタルカラーの割当ては以下の手順を用いて実行される。
【００３４】
【表１】
2014513270.tif 000010
【００３５】
色の変化は上の割当て表から明らかである。したがって、赤、緑及び青で定められる、それぞれのデジタルカラー変化は、対応する場所におけるＥＬＣ感熱フィルムの温度を示す。よって１００分の１℃の変化が１ステップで定められる。したがってダイナミックな温度変化が時点毎に数ステップで表され、よって測定可能及び計数可能になる。
【００３６】
ＥＬＣ感熱フィルムの物理特性（初感温閾）に依存する適切な解像度及び色深度の決定の別の例が以下に示される。
【００３７】
ＥＬＣ感熱フィルムの物理特性：
感熱フィルムの温度分解能力は０.００７℃に達する（Liquid Crystals Ind. Inc.，米国ペンシルバニア州タートルクリーク(Turtle Creek)−「温度測定体または温度計及びそれを作製するための方法(Thermometric Objects or Thermometers and Methods for producing same)」）。
【００３８】
液晶感熱フィルムの空間分解能は０.０１ｍｍ×０.０１ｍｍと決定される（ケイ・ワグネル(K. Wagner)及びエイチ・ライビック(H. Leibig)，「液晶−その使用及びそれに関する問題(Flussigkristalle - Ihre Anwendung und deren Problematik)」，Chemiker zeitung，１９７１年，第９５巻，ｐ.７３３〜７３６）。
【００３９】
適切な分解能の決定：
１.）空間分解能：
感熱フィルム測定の所要面積：２５ｃｍ×３０ｃｍ
１ｃｍ当たりに弁別され得るピクセル数：
１ｃｍ＝１０ｍｍ/０.０１ｍｍ：１０００
１０００×２５ｃｍ及び３０ｃｍ：＝２５０００×３００００
ピクセル数＝７．５億；
２.）温度分解能は色弁別によって表される。完全カラーパス速度を考慮すると、異なる色相／色階調の弁別性は、画像周波数及び所要色弁別可能性（色深度）を規定する；
サリュートグラフィ(salutography)において、完全カラーパスはすでに１秒以内の下限で（迅速に）達成されている。この場合、カラーパスは１.５℃の温度スペクトルを有する；
１.５℃/０.００７℃＝２１４.５
この結果、１.５秒に２１４.５の異なる色または１秒当たり１４２.９の異なる色相が得られる；
この結果、無損失を保証するための１秒当たりの所要画像リフレッシュ数は１４２.９になる。
【００４０】
要約：
上記の空間分解能は(妥当な価格の)市販装置ではまだ完全に実現できていない。しかし、この場合、６４０×４８０の解像度によるこれまでの良好な経験に基づいて実証されるように、ほぼ２００万ピクセル（ＶＧＡ ６４０×４８０のほぼ８倍，ほぼ３００万ピクセル）のフルハイビジョンの解像度で十分なはずである。
【００４１】
色深度については既に８ビットで十分である。便宜上、既存の標準により現時点で損失を確実に排除するため、ここでは２４ビットが用いられる。
【００４２】
画像リフレッシュについては、空間分解能について先述したように、１４３Ｈｚの最適周波数値は性能−価格の観点から適切ではないであろうから、可能な最高周波数が選ばれるべきである。デジタル撮像においては、標準として６０Ｈｚまでの画像周波数がフルハイビジョンに対して提供されている。
【００４３】
本明細書、図面及び特許請求の範囲に開示される本発明の特徴は、個別にも、所望のいかなる組合せにおいても、様々な実施形態における本発明の実現に肝要であり得る。
【符号の説明】
【００４４】
１０    ＥＬＣ感熱フィルム
１２    サブ画像
【国際調査報告】
2014513270.tif 000011
2014513270.tif 000012
2014513270.tif 000013
2014513270.tif 000014
2014513270.tif 000015
2014513270.tif 000016
2014513270.tif 000017
2014513270.tif 000018
2014513270.tif 000019
2014513270.tif 000020